(57)【要約】【課題】表示画面における演出に悪影響をあたえることなく保留球の保留状況を案内すること。【解決手段】所定の演出を表示する液晶表示パネル２０１と、液晶表示パネル２０１の近傍に設けられ、始動入賞口に入賞し保留球が発生するごとに所定の順序で点灯するとともに、保留球が消費されるごとに所定の順序とは逆の順序で消灯することによって、保留球数を示す保留表示ランプ群１２０と、表示部１０４を制御して、当該表示部１０４における液晶表示パネル２０１上の点灯した保留表示ランプ１２０ｄに対応する位置に所定の画像を表示するとともに、保留球が消費されるごとに点灯している別の保留表示ランプに対応する位置へ所定の画像を移動するように表示する。【選択図】図６−３
2010142510.tif 000002
【特許請求の範囲】
【請求項１】
所定の演出を表示する表示画面と、
前記表示画面の近傍に設けられ、始動入賞口に入賞し保留球が発生するごとに所定の順序で点灯するとともに、保留球が消費されるごとに所定の順序とは逆の順序で消灯することによって、保留球数を示す保留表示ランプ群と、
前記表示画面を制御して、当該表示画面上の点灯したまたは点灯している保留表示ランプに対応する位置に所定の画像を表示するとともに、保留球が消費されるごとに点灯している別の保留表示ランプに対応する位置へ前記所定の画像を移動するように表示する表示制御手段と、
を備えたことを特徴とする遊技機。
【請求項２】
前記保留表示ランプ群は、一列に配置され、保留球が発生するごとに所定の端の保留表示ランプから順次点灯し、保留球が消費されるごとに所定の端とは反対側の点灯している保留表示ランプから順次消灯し、
前記表示制御手段は、点灯した保留表示ランプまたは点灯しているいずれかの保留表示ランプに対応する位置に前記所定の画像を表示するとともに、保留球が消費されるごとに、前記所定の端側の隣の保留表示ランプに対応する位置へ前記所定の画像を移動するように表示することを特徴とする請求項１に記載の遊技機。
【請求項３】
前記始動入賞口に入賞するごとに、所定の抽選をおこなう抽選処理手段を備え、
前記表示制御手段は、前記抽選処理手段によっておこなわれた所定の抽選結果に基づいて、前記所定の画像を表示することを特徴とする請求項１または２に記載の遊技機。
【請求項４】
前記始動入賞口に入賞するたびに、主制御基板から出力される情報を受信する受信手段を備え、
前記表示制御手段は、前記受信手段によって受信された情報に基づいて、前記所定の画像を表示することを特徴とする請求項１または２に記載の遊技機。
【発明の詳細な説明】
【技術分野】
【０００１】
この発明は、この発明は、ぱちんこ遊技機などの遊技機に関し、特に、保留球数を案内するランプおよび所定の演出を表示する表示画面を備える遊技機に関する。
【背景技術】
【０００２】
ぱちんこ遊技機などの遊技機は、始動入賞口への遊技球の入賞（以下「始動入賞」という）があった場合に大当たり判定をおこない、大当たり判定結果に基づいた大当たり演出あるいはハズレ演出をおこなっている。このような遊技機は、大当たり演出あるいはハズレ演出の実行中に別の遊技球が始動入賞した場合、当該始動入賞があったことを記憶（保留）しておき、実行中の演出が終了した時点で記憶した始動入賞に対応する演出をおこなっている。
【０００３】
従来の遊技機は、たとえば保留数（保留球数）と同数のランプを点灯させたり、保留球数と同数のマークなどを表示画面に表示したりすることによって遊技機が記憶した始動入賞の数（保留球数）を案内していた。保留球数を案内するランプは表示画面の外側、保留球数の案内のために表示するマークは表示画面の端部などに設けられることが多く、いずれも表示画面における演出に影響をあたえない位置とされている。
【０００４】
また、従来、特別保留球数表示手段の保留球ランプのいずれかが、たとえば「赤」で発光した保留数表示に対応する特別図柄の変動において特定態様となった場合には、その図柄は必ず奇数（すなわち、特別特定態様）となり、「青」で発光した保留数表示に対応する特別図柄の変動において特定態様となった場合には、図柄は高い確率で偶数（すなわち、通常特定態様）となるようにした技術があった（たとえば、下記特許文献１を参照）。この従来技術においては、さらに「青」で発光したとしても奇数図柄による特定態様となる可能性も存在する。
【０００５】
また、従来、一連のストーリーが段階的に展開されていくステップアップ演出をおこなうことによって、遊技者の期待感や高揚感を、演出を開始してからの演出の展開にあわせて段階的に高めていくようにした遊技機があった（たとえば、下記特許文献２を参照）。
【０００６】
近年、保留球１つ分に相当する内部変動（デジタル回転）に際して、表示画面上では複数回変動しているように見せる「疑似連」と称される演出手法がある。疑似連演出は、疑似連であるかどうか、あるいは疑似連における変動の連続回数によって大当たりに当選したかどうかの期待度の高さを示すために用いられることが多い。保留球に対応する演出が疑似連であるかどうかは、表示画面上の変動回数と同じ回数だけ保留球が消費されているかどうかによって判別することができる。
【０００７】
【特許文献１】特開２００８−４９１７２号公報
【特許文献２】特開２００５−２８７８８６号公報
【発明の開示】
【発明が解決しようとする課題】
【０００８】
しかしながら、表示画面の外側に設けたＬＥＤを用いて保留球数を案内するようにした従来の技術では、保留球数を案内するランプが表示画面の外側に設けられているため、遊技者が表示画面における演出に注目している状態では、変動による保留球の消費状況が分かりづらいという問題があった。
【０００９】
また、表示画面内に保留球数と同数のマークを表示することによって保留球数を案内するようにした従来の技術でも、保留球数の案内のために表示するマークは表示画面の端部に表示されるため、遊技者が表示画面における演出に注目している状態では、変動による保留球の消費状況が分かりづらいという問題があった。
【００１０】
このように変動による保留球の消費状況が分かりづらい場合、たとえば大当たりへの当選を期待させるために疑似連などの演出をおこなっても、折角の演出の効果が半減し、遊技者を十分に楽しませることができず、却って冗長な演出をおこなっている印象をあたえかねないという問題があった。
【００１１】
また、上述した特許文献２に記載された従来の技術では、一連のストーリーが段階的に展開されていく演出をおこなうため、演出がある程度展開された状態になるまでは、遊技者の期待感や高揚感を高めるような演出をおこなうことが難しく、目的とする演出をおこなうまでに時間がかかり、即効性のある演出をおこなうことが難しい。
【００１２】
この発明は、上述した従来技術による問題点を解消するため、表示画面における演出に悪影響をあたえることなく保留球の保留状況を案内することができる遊技機を提供することを目的とする。
【００１３】
また、この発明は、上述した従来技術による問題点を解消するため、短期間で遊技者の期待感や高揚感を高め、遊技者を飽きさせることなく遊技を楽しませることができる遊技機を提供することを目的とする。
【課題を解決するための手段】
【００１４】
上述した課題を解決し、目的を達成するため、本発明は以下の構成を採用した。括弧内の参照符号は、本発明の理解を容易にするために実施形態との対応関係を示したものであって、本発明の範囲を何ら限定するものではない。この発明にかかる遊技機は、所定の演出を表示する表示画面（２０１）と、前記表示画面（２０１）の近傍に設けられ、始動入賞口（１０５）に入賞し保留球が発生するごとに所定の順序で点灯するとともに、保留球が消費されるごとに所定の順序とは逆の順序で消灯することによって、保留球数を示す保留表示ランプ群（１２０）と、前記表示画面（２０１）を制御して、当該表示画面（２０１）上の点灯したまたは点灯している保留表示ランプに対応する位置に所定の画像（６１０、６２０、６３０、６４０、７１０）を表示をするとともに、保留球が消費されるごとに点灯している別の保留表示ランプに対応する位置へ前記所定の画像（６１０、６２０、６３０、６４０、７１０）を移動するように表示する表示制御手段（５０６）と、を備えたことを特徴とする。
【００１５】
また、この発明にかかる遊技機は、上記の発明において、前記保留表示ランプ群（１２０）が、一列に配置され、保留球が発生するごとに所定の端の保留表示ランプから順次点灯し、保留球が消費されるごとに所定の端とは反対側の点灯している保留表示ランプから順次消灯し、前記表示制御手段（５０６）が、点灯した保留表示ランプまたは点灯しているいずれかの保留表示ランプに対応する位置に前記所定の画像（６１０、６２０、６３０、６４０、７１０）を表示するとともに、保留球が消費されるごとに、前記所定の端側の隣の保留表示ランプに対応する位置へ前記所定の画像（６１０、６２０、６３０、６４０、７１０）を移動するように表示することを特徴とする。
【００１６】
また、この発明にかかる遊技機は、上記の発明において、前記始動入賞口（１０５）に入賞するごとに、所定の抽選をおこなう抽選処理手段（５０３）を備え、前記表示制御手段（５０６）が、前記抽選処理手段（５０３）によっておこなわれた所定の抽選結果に基づいて、前記所定の画像（６１０、６２０、６３０、６４０、７１０）を表示することを特徴とする。
【００１７】
また、この発明にかかる遊技機は、上記の発明において、前記始動入賞口（１０５）に入賞するたびに、主制御基板から出力される情報を受信する受信手段を備え、前記表示制御手段（５０６）は、前記受信手段（５０１）によって受信された情報に基づいて、前記所定の画像（６１０、６２０、６３０、６４０、７１０）を表示することを特徴とする。
【００１８】
上記構成によれば、保留球の発生にともなって点灯したまたは既に点灯している保留表示ランプに対応する位置に所定の画像を表示した場合は、以降、保留球を消費するごとに、当該所定の画像が、点灯している別の保留表示ランプに対応する位置へ移動するような表示をおこなうことができる。このように、保留球を消費するごとに、表示画面におけるランプ近傍の表示内容を変化させることによって、表示画面における変動演出に注目している遊技者の関心を、一時的にランプの近傍に振り向けることができる。
【００１９】
また、上記構成によれば、保留球を消費するごとに変化する所定の画像を、保留球を案内する保留表示ランプに対応づけて表示することにより、表示最大保留球数分の変動をおこなうまでの間に、遊技状態に変化が生じることを示唆する演出をおこなうことができる。
【発明の効果】
【００２０】
この発明によれば、遊技者の関心が表示画面における変動演出に注目している状況であっても、保留球を消費するごとに当該遊技者の関心を一時的にランプの近傍に振り向けることができるので、表示画面における演出に悪影響をあたえることなく保留球の消費を案内することができるという効果を奏する。
【００２１】
また、この発明によれば、最大保留球数分の変動をおこなうまでの間に、遊技状態に変化が生じることを示唆する演出をおこなうことができるので、短期間で遊技者の期待感や高揚感を高め、遊技者を飽きさせることなく遊技を楽しませることができる。
【発明を実施するための最良の形態】
【００２２】
（実施の形態）
以下に添付図面を参照して、この発明にかかる遊技機および遊技機の演出方法の好適な実施の形態を詳細に説明する。
【００２３】
（遊技機の基本構成）
図１および図２は、この発明にかかる実施の形態の遊技機の基本構成を示す説明図である。図１においては、この発明にかかる実施の形態の遊技機の一例を正面から見た状態を示している。図２においては、この発明にかかる実施の形態の遊技機の一部を分解して斜め方向から見た状態を示している。
【００２４】
図１および図２において、この発明にかかる実施の形態の遊技機は、遊技盤１０１を備えている。遊技盤１０１の下部位置には、遊技領域１０３内に遊技球を発射する発射部（図３における符号３９２を参照）が配置されている。発射部の駆動によって発射された遊技球は、レール１０２ａ，１０２ｂ間を上昇して遊技盤１０１の上部位置に達した後、自重によって遊技領域１０３内を落下する。遊技領域１０３には、複数の釘や風車などが設けられており、遊技領域１０３内に打ち出された遊技球は、複数の釘や風車などに衝突することで落下方向を各種方向に変化させながら落下する。
【００２５】
遊技領域１０３には、始動入賞口１０５、入賞ゲート１０６、複数の普通入賞口１０７などが配設されている。始動入賞口１０５、入賞ゲート１０６、複数の普通入賞口１０７には、各入賞口１０５〜１０７における遊技球の入賞の有無に応じて出力が変化する各検出部（図３における符号３２１〜３２４を参照）が設けられている。始動入賞口１０５には、電動で開閉するチューリップ型の役物である、図示を省略する電動チューリップ（以下「電チュー」という）が設けられている。電チューは、入賞ゲート１０６に入賞があった場合に、所定のタイミングで、始動入賞口１０５を一定時間だけ通常より大きく開放するように動作する。
【００２６】
遊技領域１０３の下方には、大入賞口１０９が設けられている。大入賞口１０９には、大入賞口１０９を開放可能に閉塞する大入賞扉１０９ａが設けられている。大入賞口１０９は、大当たり遊技状態以外の状態では大入賞扉１０９ａによって閉塞されている。大入賞扉１０９ａによる大入賞口１０９の開閉は、大入賞口開閉部（図３における符号３３１を参照）によっておこなわれる。遊技領域１０３の最下部には、どの入賞口にも入賞しなかった遊技球を回収する回収口１０８が設けられている。
【００２７】
遊技盤１０１の遊技領域１０３の外周部分には、枠部材１１０が設けられている。枠部材１１０は、遊技盤１０１の上下左右の４辺において遊技領域１０３の周囲を囲む形状からなる。枠部材１１０には、遊技機に向かって右下部分に、操作ハンドル１１３が設けられている。操作ハンドル１１３は、上記の発射部を駆動させて遊技球を発射させる発射指示部材１１４を備えている。
【００２８】
発射指示部材１１４は、操作ハンドル１１３の外周部において、所定方向（たとえば遊技者から見て右回り）に回転可能に設けられている。発射部は、発射指示部材１１４が遊技者によって直接操作され、所定方向に回転した状態において遊技球を発射させる。操作ハンドル１１３には、遊技者が発射指示部材１１４を直接操作していることを検出するセンサなどが設けられている。遊技者が発射指示部材１１４を直接操作していることを検出するセンサについては、公知の技術であるため説明を省略する。
【００２９】
枠部材１１０において、遊技領域１０３の下側となる辺には、遊技者による操作を受け付けるチャンスボタン１１７が設けられている。この実施の形態において、チャンスボタン１１７は、凸状ボタン形状を有している。
【００３０】
また、枠部材１１０において、チャンスボタン１１７の隣には、十字キー１１８が設けられている。十字キー１１８は、操作内容などの選択などをおこなうカーソルキーと、カーソルキーの操作によって選択された操作内容などを確定する「ＥＮＴＥＲ」キー（図示を省略する）と、を備えている。チャンスボタン１１７や十字キー１１８などの演出ボタンは、凸状ボタンの他、タッチパネル方式を採用した入力パッドなどであってもよい。
【００３１】
遊技盤１０１において、遊技領域１０３の中央部分には、画像表示画面を備えた表示部１０４が配置されている。表示部１０４は、たとえば液晶ディスプレイ（ＬＣＤ：Ｌｉｑｕｉｄ  Ｃｒｙｓｔａｌ  Ｄｉｓｐｌａｙ）によって実現することができる。液晶ディスプレイによって実現される表示部１０４は、各種画像をカラー表示可能な画像表示画面を実現する液晶表示パネル２０１と、液晶表示パネル２０１の背面に設けられる液晶シャッター２０２とを備えている。
【００３２】
表示部１０４の背面側には、表示部１０４を照明する、図示を省略する光源が設けられている。液晶シャッター２０２は、印加された電圧に基づいて、表示領域全域にわたってあるいは一部表示領域において、光源から照射された照明光を遊技機の前面側に透過あるいは遮断するように動作する。
【００３３】
表示部１０４の背面側（遊技者から見て遊技機の奥側）には、リール２０３が配置されている。リール２０３は、縦３個×横３個の合計９個（９コマ）の小リール２０３ａ〜２０３ｉをマトリクス状に配置することによって構成されている。小リール２０３ａ〜２０３ｉは、表示部１０４の背面側において、表示部１０４がなす液晶表示パネル２０１に平行な面をなすように配置されている。
【００３４】
各小リール２０３ａ〜２０３ｉは、それぞれ、円筒形をなし、外周面には複数種類の図柄が表記されている。具体的には、小リール２０３ａ〜２０３ｉの外周面には、それぞれ、大当たり用の図柄（たとえば「７」）、およびハズレ用の図柄（たとえば星印）が表記されている。各小リール２０３ａ〜２０３ｉは、それぞれ、円筒の軸心を中心として回転可能に設けられている。
【００３５】
各小リール２０３ａ〜２０３ｉには、それぞれ、各小リール２０３ａ〜２０３ｉを独立して回転させる図示を省略するモータが接続されている。この実施の形態における「回転」は、各小リール２０３ａ〜２０３ｉにおける任意の基準位置が、各々の軸心を中心とする円周上を３６０度移動する動作状態を示す。また、この実施の形態における「回転」は、各小リール２０３ａ〜２０３ｉにおける任意の基準位置が、各々の軸心を中心とする円周上を３６０度未満あるいは３６０度より大きな回転角度で移動する、いわゆる「回動」する動作状態を含む。
【００３６】
リール２０３においては、各モータを駆動して各小リール２０３ａ〜２０３ｉを個々に回転させることによって、各小リール２０３ａ〜２０３ｉが表示部１０４側に向ける図柄をそれぞれ変化させることができる。各小リール２０３ａ〜２０３ｉは、それぞれが１つの図柄を表示部１０４側に向けて停止した状態において、所定の出目を示す。リール２０３が示す所定の出目は、各小リール２０３ａ〜２０３ｉがすべて停止した状態において、各小リール２０３ａ〜２０３ｉがそれぞれ示す図柄の組み合わせによって示される。
【００３７】
上記の光源は、表示部１０４とリール２０３との間に設けられている。光源は、たとえば複数のＬＥＤによって構成することができる。光源は、表示部１０４のバックライトとして機能するとともに、リール２０３における各小リール２０３ａ〜２０３ｉが示す図柄を照らす照明として機能する。
【００３８】
表示部１０４における液晶表示パネル２０１の近傍には、保留表示ランプ群１２０が設けられている。保留表示ランプ群１２０は、枠部材１１０における遊技盤１０１の上端との境界部分に設けられている。保留表示ランプ群１２０は、複数の保留表示ランプを備え、複数の保留表示ランプの点灯状態によって保留球数を示す。保留表示ランプ群１２０における複数の保留表示ランプは、始動入賞口１０５に入賞し保留球が発生するごとに所定の順序で点灯する。また、保留表示ランプ群１２０における複数の保留表示ランプは、点灯している状態で、保留球が消費されるごとに、所定の順序とは逆の順序で消灯する。保留表示ランプ群１２０は、点灯している保留表示ランプの数によって保留球数を示すことができる。
【００３９】
（制御部の内部構成）
つぎに、遊技機の制御部の内部構成について説明する。図３は、遊技機の制御部の内部構成を示すブロック図である。制御部３００は、主制御部３０１、演出制御部３０２および賞球制御部３０３を含む、複数の制御部によって構成されている。各制御部３０１〜３０３は、それぞれ独立した基板に設けられている。各制御部３０１〜３０３は、たとえば主制御部３０１と賞球制御部３０３とを同一のプリント基板上に設けるなど、一部あるいは全部が同じ基板に設けられていてもよい。
【００４０】
主制御部３０１は、遊技機の遊技にかかる基本動作を制御する。主制御部３０１は、ＣＰＵ３１１、ＲＯＭ３１２、ＲＡＭ３１３などによって構成されている。ＣＰＵ３１１は、ＲＯＭ３１２に記憶されたプログラムに基づき、遊技内容の進行にともなう基本処理を実行する。ＲＯＭ３１２は、遊技内容の進行にともなう基本処理を実行するための各種プログラムや、大当たり判定に用いる大当たり値などを記憶している。ＲＡＭ３１３は、ＣＰＵ３１１の演算処理時におけるデータのワークエリアとして機能する。
【００４１】
ＣＰＵ３１１は、遊技内容の進行にともなう基本処理として、たとえば大当たり判定用乱数のカウントをおこなう。具体的には、たとえば大当たり確率が１／２８０に設定されている遊技機の場合、ＣＰＵ３１１は、遊技機が起動している間中、１ループが０〜２７９までの数値で＋１ずつカウントアップする。ＣＰＵ３１１は、このカウントアップを、主制御部３０１への電源供給時から開始し、１ループ分のカウント後は、つぎの１ループ分のカウントをおこなう、というようにループ状のカウントをおこなう。ＲＡＭ３１３は、このような大当たり判定用乱数のカウントに際してのカウンタとして機能する。
【００４２】
そして、ＣＰＵ３１１は、発射部３９２によって発射された遊技球が始動入賞口１０５に入賞（以下「始動入賞」という）すると、始動入賞した時点のカウント値を大当たり判定用乱数として取得する。取得する大当たり判定用乱数は、始動入賞したタイミングによって異なる。具体的には、たとえば上記の大当たり確率１／２８０が設定されている遊技機であれば、ＣＰＵ３１１は、０〜２７９までの整数を含む数値群から、始動入賞した時点でカウントされた数値を、大当たり判定用乱数として取得する。上記の例であれば、０〜２７９までの整数によって構成される数値群の中の数値を大当たり判定用乱数として取得する。
【００４３】
ＣＰＵ３１１は、大当たり判定用乱数を取得するごとに、取得した大当たり判定用乱数とＲＯＭ３１２に記憶されている大当たり値とを比較して、大当たり判定をおこなう。ＣＰＵ３１１は、具体的には、たとえば大当たり判定用乱数と大当たり値とが一致するか否かを判定し、一致する場合を大当たりと判定する。大当たり判定は、当該大当たり判定をおこなうための大当たり判定用乱数を取得した時点、すなわち始動入賞があった時点において先の始動入賞に対応した演出の実行中である場合、当該実行中の演出が終了してからおこなう。始動入賞があった時点において先の始動入賞に対応した演出の実行中である場合、始動入賞による大当たり判定の権利は、保留球として所定数保留することができる。
【００４４】
また、主制御部３０１は、ＣＰＵ３１１によって大当たり判定用乱数を取得し、取得した大当たり判定用乱数をＲＯＭ３１２あるいはＲＡＭ３１３に記憶することで始動入賞を保留した際に、この保留された大当たり判定用乱数が大当たり値と一致するものであるかを判定する、いわゆる先読みをおこなってもよい。先読みをおこなった場合、主制御部３０１は、先読み結果を示す信号を演出制御部３０２に出力する。これにより、演出制御部３０２は、大当たりとなる変動開始前から徐々に遊技者の期待感を高めていく演出（先読み演出）などをおこなうことができる。
【００４５】
また、ＣＰＵ３１１は、遊技内容の進行にともなう基本処理として、たとえばリーチ乱数のカウント、変動パターン乱数のカウント、図柄乱数のカウント、などをおこなう。リーチ乱数は、始動入賞があった場合に取得され、当該始動入賞にしたがっておこなう演出においてリーチ演出をおこなうか否かを決定する。リーチ乱数は大当たり判定の結果がハズレであった場合に有効となり、遊技機においては大当たり判定の結果がハズレであってＣＰＵ３１１が特定のリーチ乱数を取得した場合にリーチ演出つきのハズレ演出をおこなう。
【００４６】
変動パターン乱数は、始動入賞にしたがって演出をおこなうごとに、当該演出を開始する直前に取得され、演出に際してリールあるいは表示部が表示する図柄の変動パターンを決定する。図柄乱数は、始動入賞にしたがって大当たり演出をおこなうごとに、当該大当たり演出を開始する直前に取得され、大当たりの図柄を決定する。リーチ乱数のカウント、変動パターン乱数のカウント、および図柄乱数は、それぞれ別々のカウンタを用いておこなう。各乱数のカウントについては、上記の大当たり判定用乱数のカウントと同様であるため説明を省略する。
【００４７】
主制御部３０１の入力側には、始動入賞口検出部３２１、ゲート検出部３２２、普通入賞口検出部３２３および大入賞口検出部３２４などが接続されている。始動入賞口検出部３２１は、始動入賞口１０５に入賞した入賞球を検出する。ゲート検出部３２２は、入賞ゲート１０６を通過した遊技球を検出する。普通入賞口検出部３２３は、普通入賞口１０７に入賞した遊技球を検出する。大入賞口検出部３２４は、大入賞口１０９に入賞した入賞球を検出する。各検出部３２１〜３２４は、たとえば近接センサなどによって実現することができる。この場合、検出部３２１〜３２４を実現する各センサは、それぞれ、遊技球が各センサに接近したタイミングでオン状態を示す信号を出力する。
【００４８】
ＣＰＵ３１１は、一定時間（たとえば４ｍｓｅｃ）ごとに各検出部３２１〜３２４からの出力を監視している。始動入賞口１０５、入賞ゲート１０６、普通入賞口１０７あるいは大入賞口１０９に遊技球が入賞した場合、該当する検出部３２１〜３２４からの出力は２回以上連続してオン状態となる。ＣＰＵ３１１は、各検出部３２１〜３２４からの出力に基づいて、２回以上連続してオン状態となった検出部３２１〜３２４に対応する箇所において入賞があったものとして判断する。ＣＰＵ３１１は、始動入賞口１０５に遊技球が入賞した場合、すなわち始動入賞があった場合は、演出制御部３０２に対して始動入賞信号を出力する。
【００４９】
主制御部３０１の出力側には大入賞口開閉部３３１が接続されており、ＣＰＵ３１１は、遊技球が大入賞口１０９に入賞したことを検出すると、大入賞口開閉部３３１に対して、大入賞扉１０９ａの開閉信号を出力する。大入賞口開閉部３３１は、主制御部３０１から出力された開閉信号に基づいて、大入賞扉１０９ａによる大入賞口１０９の開閉を制御する。大入賞口開閉部３３１は、たとえば大入賞扉１０９ａに連結されたソレノイドによって実現することができる。
【００５０】
ＣＰＵ３１１は、大当たりが発生した場合に、大入賞口１０９を一定期間だけ開放するように大入賞口開閉部３３１を制御する。大入賞口１０９は、たとえば大当たり判定により大当たりが確定してから所定時間後に開放される。また、ＣＰＵ３１１は、大当たりが発生した場合に、大入賞口１０９を開放した後ふたたび閉塞する開閉動作を、所定ラウンド（たとえば１５ラウンド）繰り返すように大入賞口開閉部３３１を制御する。１ラウンドの期間は、たとえば大入賞口１０９に遊技球が１０個入賞する間、あるいは、所定期間（たとえば３０秒間）とされている。大当たりは、生成した乱数に基づき所定の確率（たとえば１／２８０）で発生するようあらかじめプログラムされている。
【００５１】
また、ＣＰＵ３１１は、始動入賞口１０５、普通入賞口１０７、大入賞口１０９など、払い出しがある箇所に遊技球が入賞したことを検出すると、主制御部３０１の出力側に接続された賞球制御部３０３に対して、賞球制御信号を出力する。賞球制御部３０３は、主制御部３０１からの出力信号に基づいて、遊技機が入賞した箇所に応じた賞球数を払い出すように、賞球制御部３０３の出力側に接続された払出部３９１を駆動制御する。
【００５２】
賞球制御部３０３は、ＣＰＵ３８１、ＲＯＭ３８２、ＲＡＭ３８３などによって構成されている。ＣＰＵ３８１は、主制御部３０１からの制御信号およびＲＯＭ３８２に記憶されたプログラムに基づいて、賞球制御部３０３の出力側に接続された払出部３９１を駆動制御し、入賞した箇所に対応した数の賞球を払い出させる。
【００５３】
賞球制御部３０３は、大入賞口１０９の開閉動作中、たとえば大入賞口１０９に対して遊技球が１個入賞するごとに、１５個の賞球数を払い出させる。ＲＡＭ３８３は、ＣＰＵ３８１の演算処理時におけるデータのワークエリアとして機能する。払出部３９１は、遊技球の貯留部につながっており、遊技球を払い出すためのモータや、払い出した遊技球の個数をカウントするためのセンサなどを備えている。払出部３９１は、賞球制御部３０３からの出力信号にしたがって、入賞した箇所に対応した数の賞球を払い出す。
【００５４】
また、賞球制御部３０３は、発射部３９２に対する遊技球の発射の操作を検出し、遊技球の発射を制御する。発射部３９２は、遊技のための遊技球を発射するものであり、遊技者による遊技操作を検出するセンサと、遊技球を発射させるソレノイドなどを備える（いずれも図示を省略する）。賞球制御部３０３は、発射部３９２のセンサにより遊技操作を検出すると、検出された遊技操作に対応してソレノイド等を駆動させて遊技球を間欠的に発射させ、遊技盤１０１の遊技領域１０３に遊技球を送り出す。
【００５５】
演出制御部３０２は、遊技中の各種演出の制御をおこなう。演出制御部３０２の出力側には表示部１０４およびリール２０３が接続されており、演出制御部３０２は表示部１０４およびリール２０３の動作を制御することによって遊技中の演出動作を制御する。演出制御部３０２は、ＣＰＵ３４１、ＲＯＭ３４２、ＲＡＭ３４３などによって構成されている。
【００５６】
ＣＰＵ３４１は、主制御部３０１からの制御信号およびＲＯＭ３４２に記憶されたプログラムに基づいて、遊技内容を演出する演出処理を実行する。ＲＯＭ３４２は、演出処理の実行にかかる各種プログラム、表示部１０４に各種画像（背景画像、図柄画像、キャラクター画像など）を表示させる各種画像データなどの表示制御データ、リール２０３に対する回転制御データ、音声制御部３５５から出力させる音声データなどを記憶する。音声制御部３５５は、演出制御部３０２の出力側に接続されている。ＲＡＭ３４３は、ＣＰＵ３４１の演算処理時におけるデータのワークエリアとして機能する。
【００５７】
ＣＰＵ３４１は、音声制御部３５５に対して、スピーカ３７７が備えるコイルに対する通電状態を制御するための音声データ（音声出力制御データ）を出力する。音声制御部３５５は、演出制御部３０２から出力された音声出力制御データに基づいて、コイルに対する通電状態を変化させることによって、ＢＧＭ、演出の効果音、キャラクターの台詞などの各種の音声をスピーカ３７７から出力させる。
【００５８】
また、ＣＰＵ３４１は、ＲＯＭ３４２に記憶されたプログラムや各種画像データを読み込んで、背景画像表示処理、図柄画像表示／変動処理、キャラクター画像表示処理などの各種画像処理をおこなう。各種画像処理の実行に際し、ＣＰＵ３４１は、適宜必要な画像データをＲＯＭ３４２から読み出し、読み出した画像データを、演出制御部３０２が備えるＶＲＡＭ３４４などに書き込む。ＣＰＵ３４１は、演出制御部３０２が備えるＶＲＡＭ３４４への画像データの書き込みに際して、図柄画像やキャラクター画像が背景画像よりも手前に見えるように、画像データの加工をおこなう。
【００５９】
具体的には、たとえば表示部１０４に表示させる背景画像と図柄画像の表示位置が画像表示画面内の同一位置に重なる場合、Ｚバッファ法など周知の陰面消去法により各画像データのＺバッファのＺ値を参照することで、ＶＲＡＭ３４４などに図柄画像を優先して記憶させる。表示部１０４は、ＶＲＡＭ３４４に書き込まれた画像データに基づいて、図柄画像やキャラクター画像が背景画像よりも手前に見える画像を表示する。表示部１０４は、具体的には、たとえば入賞するまでの間遊技内容を演出する図柄や、リーチ（３つの図柄のうち２つが揃った状態）図柄、大当たり時の遊技内容を演出する図柄などをあらわす画像を表示する。
【００６０】
また、ＣＰＵ３４１は、ＲＯＭ３４２に記憶されたプログラムや回転制御データを読み込んで、リール２０３の回転制御処理をおこなう。リール２０３の回転制御処理に際し、ＣＰＵ３４１は、適宜必要な回転制御データをＲＯＭ３４２から読み出し、読み出した回転制御データに基づいてリール２０３における各小リール２０３ａ〜２０３ｉに接続されたモータの回転方向、回転速度、回転数などを制御する。
【００６１】
ＣＰＵ３４１によってリール２０３を回転制御することにより、リール２０３においては、具体的には、たとえば所定数（たとえば３つ）の図柄が１つの有効ライン上に揃った図柄が示される。また、ＣＰＵ３４１によってリール２０３を回転制御することにより、リール２０３においては、具体的には、たとえばリーチを示す数（３つの図柄のうち２つ）の図柄が１つの有効ライン上に揃った図柄が示される。
【００６２】
ＣＰＵ３４１は、表示部１０４が表示する演出画像とリール２０３が示す図柄の状態とが互いに連動するように、リール２０３が示す図柄の状態にあわせて、リール２０３が示す図柄を補助する各種画像データを生成して出力する。具体的には、ＣＰＵ３４１は、たとえばリール２０３がなす図柄がリーチ状態や大当たり遊技状態を示す場合には、リール２０３の図柄を補助し、遊技者の期待感や興奮を高めるような演出画像の画像データを生成して出力する。
【００６３】
また、ＣＰＵ３４１は、チャンスボタン１１７や十字キー１１８などの演出ボタンの操作にしたがって、表示部１０４が表示する演出画像が変化するように、演出ボタンの操作の有無あるいは演出ボタンの操作タイミングにしたがって異なる画像データを生成して出力する。また、ＣＰＵ３４１は、演出ボタンの操作にしたがって、リール２０３が示す図柄が変化するように、演出ボタンの操作の有無あるいは演出ボタンの操作タイミングにしたがってリール２０３の回転制御を異ならせる。
【００６４】
演出制御部３０２におけるＣＰＵ３４１は、保留表示ランプ群１２０における複数の保留表示ランプの点灯および消灯を制御する。ＣＰＵ３４１は、演出の実行中に主制御部３０１から出力された始動入賞信号を受信した場合に、保留表示ランプ群１２０において該当する保留表示ランプが点灯するように保留表示ランプ群１２０を制御する。演出制御部３０２は、演出の実行中に始動入賞信号を受信した場合に、保留表示ランプが図１における左側から右側に向かって順次点灯するように、保留表示ランプ群１２０における複数の保留表示ランプの点灯を制御する。また、ＣＰＵ３４１は、保留球に対応する演出を開始するごとに、保留表示ランプが図１における右側から左側に向かって順次消灯するように、保留表示ランプ群１２０における複数の保留表示ランプの消灯を制御する。
【００６５】
主制御部３０１からは、始動入賞信号の他に、「通常大当たり」、「確変大当たり」、「ハズレ」など抽選結果を示す信号、各始動入賞に対応する演出にかかる演出時間を示す信号、「通常遊技状態」、「大当たり遊技状態」、「時短遊技状態」、「確変遊技状態」、および「潜伏確変遊技状態」のように遊技機の遊技状態を示す信号などが出力される（図４を参照）。
【００６６】
また、演出制御部３０２におけるＣＰＵ３４１は、表示画面を制御して、当該表示画面上の所定の位置に、所定の画像を表示をする。所定の位置は、点灯した（または、点灯している）保留表示ランプに対応する位置であって、たとえば保留表示ランプの近傍となる、液晶表示パネル２０１の上端部とすることができる。所定の画像は、保留表示ランプに対応する位置に当該保留表示ランプの点灯と同時に表示する。あるいは、所定の画像は、既に点灯している保留表示ランプに対応する位置に表示してもよい。
【００６７】
演出制御部３０２は、所定の画像の表示に際して、当該所定の画像の色、形、種類など所定の画像の内容を変化させて表示することができる。また、演出制御部３０２は、所定の画像の表示に際して、当該所定の画像数を多くしたり、点滅させたりなど、表示の方法を変化させて表示するようにしてもよい。
【００６８】
また、演出制御部３０２は、保留球が消費されるごとに、所定の画像が、点灯している別の保留表示ランプに対応する位置へ移動するような表示をおこなう。演出制御部３０２は、始動入賞口１０５へ遊技球が入賞するごとに、すなわち始動入賞ごとに所定の抽選をおこない、当該抽選による所定の抽選結果に基づいて、所定の画像を表示する。
【００６９】
また、演出制御部３０２は、演出モードにしたがった演出をおこなう。演出モードは、所定のタイミングで切り替えられる。演出モードの切り替えすなわちステージ移行は、ステージ移行するための抽選をおこない、当該抽選の結果にしたがってステージ移行演出をおこなった後におこなう。ステージ移行するための抽選をおこなうタイミングは、たとえば大当たり演出が終了した場合、同一のステージにおいて所定回数の入賞（変動）があった場合、時短演出が所定回数終了した場合など、任意のタイミングとすることができる。
【００７０】
ステージ移行するための抽選に際しては、移行先のステージを抽選する移行先ステージ抽選と、ステージ移行をおこなうかどうかを決定するステージ移行発生抽選と、をおこなう。移行先ステージ抽選およびステージ移行発生抽選は、たとえばステージ移行するための抽選の直前に所定の実行抽選用乱数を取得し、取得した所定の実行抽選用乱数を用いておこなうことができる。
【００７１】
（遊技機の基本動作）
つぎに、この発明にかかる実施の形態の遊技機の基本動作の一例を説明する。遊技機は、遊技者の操作を検出した場合に、発射部３９２によって遊技球の発射をおこなう。発射された遊技球は、遊技領域１０３内を、釘や風車に衝突しながら自重によって下方へ落下する。発射された遊技球の一部は、始動入賞口１０５、普通入賞口１０７、大入賞口１０９などに入賞する。
【００７２】
主制御部３０１は、始動入賞口１０５、普通入賞口１０７、大入賞口１０９など、払い出しがある箇所における遊技球の入賞状況を賞球制御部３０３に出力する。賞球制御部３０３は、主制御部３０１からの出力信号にしたがって、入賞状況に対応した賞球数の払い出しをおこなう。また、主制御部３０１は、遊技球が入賞ゲート１０６に入賞した場合、始動入賞口１０５を一定時間だけ通常より大きく開放させる。
【００７３】
また、主制御部３０１は、遊技球が始動入賞口１０５に入賞（始動入賞）した場合、上記の大当たり判定をおこない、大当たり判定結果にしたがってハズレ演出あるいは大当たり演出をおこなう。遊技機は、具体的には、取得した大当たり判定用乱数と大当たり値とが一致しないと判定した場合に、演出制御部３０２によってハズレ演出を実行する。また、主制御部３０１は、取得した大当たり判定用乱数と大当たり値とが一致すると判定した場合に、演出制御部３０２によって大当たり演出を実行する。また、主制御部３０１は、取得した大当たり判定用乱数と大当たり値とが一致すると判定した場合に、大入賞口１０９を所定ラウンド数分開放する。
【００７４】
また、主制御部３０１は入賞があった箇所に応じた信号を賞球制御部３０３に出力し、賞球制御部３０３は主制御部３０１からの出力信号にしたがって払出部３９１を駆動制御して、入賞があった箇所に応じた賞球数の払い出しをおこなわせる。そして、主制御部３０１は、大当たり演出終了後は、大当たり遊技状態を解除し、通常の遊技状態に復帰する。
【００７５】
主制御部３０１は、先の始動入賞に対応する演出実行中に別の始動入賞があった場合、当該始動入賞があった時点の大当たり判定用乱数を取得するとともに取得した大当たり判定用乱数を保留する。主制御部３０１は、先の始動入賞に対応する演出実行中に別の始動入賞があった場合、既に保留している大当たり判定用乱数の個数が所定個数（たとえば４個）未満であるか否かを判断し、所定個数未満である場合に取得した大当たり判定用乱数を保留する。
【００７６】
また、主制御部３０１は、先の始動入賞に対応する演出実行中に別の始動入賞があった場合、演出制御部３０２に対して始動入賞信号を出力する。始動入賞信号は、大当たり判定用乱数を保留した場合にのみ出力してもよいし、先の始動入賞に対応する演出実行中に別の始動入賞があったすべての場合において出力してもよい。
【００７７】
また、主制御部３０１は、演出制御部３０２において実行中の演出が終了した後に、保留した大当たり判定用乱数を用いた大当たり判定をおこない、当該大当たり判定結果を示す信号を演出制御部３０２に出力する。演出制御部３０２における演出の終了は、たとえば先に大当たり判定結果を示す信号を出力してから所定の演出時間が経過したことをもって判断することができる。
【００７８】
演出制御部３０２は、主制御部３０１からの出力信号に応じた各種演出をおこなう。演出制御部３０２は、表示部１０４およびリール２０３を用いて、ハズレ演出および大当たり演出などの各種演出をおこなう。演出制御部３０２は、具体的には、たとえばすべての小リール２０３ａ〜２０３ｉを回転させたのち、当該小リール２０３ａ〜２０３ｉを順次停止させることでリール２０３が所定の出目を示すようにリール２０３を制御するとともに、リール２０３の回転および停止動作にあわせた画像が表示部１０４に表示されるように表示部１０４を制御する。表示部１０４は、リール２０３の動作およびリール２０３がなす出目に連動した画像を表示する。このように、表示部１０４における画像の表示動作とリール２０３の動作とを連動することによって、遊技機がなす演出の演出効果を高めることができる。
【００７９】
表示部１０４およびリール２０３が遊技機の奥行き方向に重ねて配置されているため、遊技者は、表示部１０４が表示する画像に応じて、リール２０３全体あるいは一部の小リール２０３ａ〜２０３ｉを視認することができる。遊技者は、表示部１０４を通して、当該表示部１０４のうしろ側（背面側）にあるリール２０３を見ることになり、表示部１０４による演出とリール２０３による演出とを、視線をずらすことなく同時に見ることができる。
【００８０】
また、表示部１０４およびリール２０３が遊技機の奥行き方向に重ねて配置されているため、表示部１０４とリール２０３とが重なる領域において、表示部１０４による光の透過具合を調整することにより、遊技者にリール２０３全体を見せたり、リール２０３の一部（たとえば小リール２０３ａ〜２０３ｉの中の１つのみ）だけを遊技者に見せたりする演出をおこなうことができる。具体的には、たとえば液晶ディスプレイによって表示部１０４を実現する場合、シャッターの開閉度合いを調整することによって、遊技者にリール２０３全体を見せたり、リール２０３の一部だけを遊技者に見せたりする演出をおこなうことができる。
【００８１】
また、演出制御部３０２は、上記の各種演出の実行中に始動入賞信号を受信した場合に保留表示ランプ群１２０において該当する保留表示ランプの点灯を制御し、実行中の演出が終了してつぎの演出を開始する際に保留表示ランプ群１２０において該当する保留表示ランプの消灯を制御する。これによって、保留中の演出の数、すなわち保留球の数を案内することができる。
【００８２】
（遊技機の遊技状態）
つぎに、遊技機の遊技状態について説明する。図４は、この発明にかかる実施の形態の遊技機の遊技状態を示す説明図である。図４においては、遊技機が取り得る遊技状態と、遊技状態どうしの関係と、を示している。図４において、この実施の形態の遊技機は、「通常遊技状態」４１０、「大当たり遊技状態」４２０、「時短遊技状態」４３０、「確変遊技状態」４４０、および「潜伏確変遊技状態」４５０のいずれかの遊技状態を取り得る。
【００８３】
通常遊技状態４１０においては、大当たりの当選確率が低い当選確率（たとえば１／２８０）とされた状態、すなわち低確率状態で遊技をおこなう。通常遊技状態４１０において大当たりに当選した場合、遊技状態は大当たり遊技状態４２０に遷移する。大当たり遊技状態４２０は、通常遊技状態４１０の他に、時短遊技状態４３０、確変遊技状態４４０および潜伏確変遊技状態４５０のいずれかの遊技状態での遊技中に大当たりに当選した場合に遷移可能な遊技状態とされている。通常遊技状態４１０、時短遊技状態４３０、確変遊技状態４４０および潜伏確変遊技状態４５０は、大当たり遊技状態４２０を経由して相互に移行可能とされている。
【００８４】
大当たり遊技状態４２０は、所定の大当たり終了条件を満たすまで継続される。大当たり遊技状態４２０は、たとえば大入賞口１０９の開閉が規定ラウンド数おこなわれるまで継続される。大当たり遊技状態４２０が終了した場合、通常遊技状態４１０、時短遊技状態４３０、確変遊技状態４４０あるいは潜伏確変遊技状態４５０のいずれかの遊技状態へ遷移する。大当たり遊技状態４２０の終了後にいずれの遊技状態に遷移するかは、たとえば当選した大当たりの種別ごとにあらかじめ定められている。
【００８５】
当選した大当たりの種別が、たとえば通常大当たりである場合、大当たり遊技状態４２０の終了後の遊技機は、時短遊技状態４３０へと遷移する。時短遊技状態４３０においては、大当たりの当選確率は低い当選確率（低確率状態）とされ、電チューサポートが付与される。時短遊技状態４３０は、たとえば規定回数（たとえば１００回）の図柄の変動など、所定の時短終了条件を満たすまで継続される。時短終了条件を満たした場合には、遊技機は、通常遊技状態４１０へ移行する。時短終了条件を満たす前に大当たりに当選した場合には、遊技機は、大当たり遊技状態４２０へと移行する。
【００８６】
また、当選した大当たりの種別が、たとえば確変大当たりである場合、大当たり遊技状態４２０の終了後の遊技機は、確変遊技状態４４０あるいは潜伏確変遊技状態４５０へと遷移する。確変遊技状態４４０および潜伏確変遊技状態４５０においては、大当たりの当選確率が低い当選確率（たとえば１／２８０）から、高い当選確率（たとえば１／２８）すなわち高確率状態となる。
【００８７】
低確率状態と高確率状態とは、大当たり値が異なっている。大当たりの当選確率が１／２８０に設定されている低確率状態においては１個の乱数が大当たり値とされるのに対し、高確率状態においてはたとえば１０倍の１０個の乱数が大当たり値とされる。これにより、高確率状態における大当たりの当選確率は、低確率状態における大当たりの当選確率の１０倍の１／２８とされる。
【００８８】
確変遊技状態４４０においては、高確率状態となるとともに、始動入賞口１０５が備える電動チューリップによる遊技サポート（以下「電チューサポート」という）が付与される。電チューサポートは、たとえば始動入賞口１０５を一定時間だけ通常より大きく開放させたり、始動入賞口１０５を開放させる頻度を増加させたりすることで、遊技性の向上を図る動作機能とされている。
【００８９】
電チューサポートが付与されている状態においては、電チューサポートがない状態で遊技をおこなう場合よりも、始動入賞口１０５へ入賞する機会を増加させることができる。潜伏確変遊技状態４５０においては、電チューサポートが付与されずに高確率状態となる。確変遊技状および潜伏確変遊技状態４５０は、たとえば大当たりへの当選（すなわち大当たり遊技状態４２０への遷移）など、所定の確変終了条件を満たすまで継続される。
【００９０】
潜伏確変遊技状態４５０においては、通常遊技状態４１０と同様に電チューサポートが付与されず、大当たり確率が高確率に変動する。大当たり確率の変動は、遊技機の内部においておこなわれるため、遊技者は通常遊技状態４１０であるか潜伏確変遊技状態４５０であるかを外見上で判断することができない。この実施の形態の遊技機は、通常遊技状態４１０と潜伏確変遊技状態４５０とで同様の演出をおこなう（見た目上の演出を揃える）ことで、通常遊技状態４１０あるいは潜伏確変遊技状態４５０のどちらの遊技状態であるかを遊技者が判断できないようになっている。
【００９１】
（遊技機の機能的構成）
つぎに、この発明にかかる実施の形態の遊技機の機能的構成について説明する。図５は、この発明にかかる実施の形態の遊技機の機能的構成を示すブロック図である。図５において、この発明にかかる実施の形態の遊技機は、受信部５０１、検出部５０２、抽選処理部５０３、連動制御部５０４、点灯制御部５０５および表示制御部５０６を備えている。各部５０１〜５０６の機能は、演出制御部３０２によって実現することができる。
【００９２】
受信部５０１は、主制御部（主制御基板）３０１から出力された始動入賞信号を受信する。検出部５０２は、受信部５０１における始動入賞信号の受信の有無を検出する。また、検出部５０２は、始動入賞信号を受信したことを検出した場合には、始動入賞信号を受信した時点において演出実行中であるか否かを検出する。さらに、検出部５０２は、検出結果を連動制御部５０４に出力する。
【００９３】
抽選処理部５０３は、検出部５０２による検出結果に基づいて、始動入賞があるごとに所定の抽選をおこなう。抽選処理部５０３は、たとえば始動入賞信号を受信したことを検出し、かつ、始動入賞信号を受信した時点において演出実行中であることを検出した場合に、所定の抽選をおこなう。
【００９４】
抽選処理部５０３は、たとえば遊技状態が遊技者に有利なチャンス状態になった場合など、遊技状態に何らかの変化がある場合に所定の抽選をおこなう。抽選処理部５０３は、具体的には、たとえば保留されることが確定している始動入賞に際して取得した大当たり判定用乱数が、上記の先読み機能によって大当たり値に一致する（大当たりに当選している）ことが判明している場合、当該始動入賞に対応する保留球を示すための保留表示ランプを点灯する直前に、所定の抽選をおこなう。
【００９５】
また、抽選処理部５０３は、具体的には、たとえば保留されることが確定している始動入賞に際して取得したリーチ乱数が、上記の先読み機能によってリーチ演出ありを示すことが判明している場合、当該始動入賞に対応する保留球を示すための保留表示ランプを点灯する直前に、所定の抽選をおこなう。所定の抽選に際しては、所定の画像を表示するか否か、表示する所定の画像の種類、所定の画像を表示した後の演出内容などを決定する。
【００９６】
連動制御部５０４は、検出部５０２による検出結果および抽選処理部５０３による抽選結果に基づいて、点灯制御部５０５および表示制御部を駆動制御する。連動制御部５０４は、始動入賞信号を受信したことを検出し、かつ、始動入賞信号を受信した時点において演出実行中であることを検出した場合に、保留表示ランプ群１２０における保留表示ランプの点灯を指示する信号を点灯制御部５０５に対して出力する。また、連動制御部５０４は、抽選処理部５０３による抽選結果にしたがった画像を、点灯制御部５０５に対して点灯を指示した保留表示ランプの近傍に表示するように指示する信号を表示制御部５０６に対して出力する。
【００９７】
点灯制御部５０５は、連動制御部５０４から出力された信号を受信し、受信した信号にしたがって、該当する保留表示ランプが点灯するように保留表示ランプ群１２０を制御する。点灯制御部５０５は、具体的には、たとえば保留表示ランプ群１２０において点灯している保留表示ランプのうち、もっとも右側で点灯しているランプの右隣の保留表示ランプが点灯するように保留表示ランプ群１２０を制御する。これにより、保留表示ランプ群１２０における各保留表示ランプは、始動入賞口１０５に入賞し保留球が発生するごとに、所定の順序すなわち点灯している保留表示ランプが左側から右側に向かって増えるように点灯する。
【００９８】
また、点灯制御部５０５は、具体的には、たとえば先に実行中の演出が終了して保留球に相当する演出が開始する際に、もっとも右側で点灯しているランプが消灯するように保留表示ランプ群１２０を制御する。これにより、保留表示ランプ群１２０における各保留表示ランプは、保留球が消費されるごとに、所定の順序とは逆の順序すなわち点灯している保留表示ランプが右側から左側に向かって減るように消灯する。
【００９９】
表示制御部５０６は、連動制御部５０４から出力された信号を受信し、受信した信号にしたがって所定の画像が液晶表示パネル２０１に表示されるように、表示部１０４を制御する。表示制御部５０６は、具体的には、たとえば始動入賞にしたがって点灯した保留表示ランプに対応する位置に、抽選処理部５０３によって抽選された所定の画像が表示されるように表示部１０４を制御する。表示制御部５０６は、具体的には、たとえば滴状のキャラクターが、対応する保留表示ランプから垂れ下がっているような画像が表示されるように表示部１０４を制御する。
【０１００】
また、表示制御部５０６は、具体的には、たとえば先に実行中の演出が終了して保留球に相当する演出が開始する際に、それ以前に表示していた所定の画像に直近の保留表示ランプとは別の保留表示ランプに対応する位置に所定の画像を表示する。これにより、所定の画像が、始動入賞にしたがって点灯した保留表示ランプに対応する位置から、別の保留表示ランプに対応する位置に移動したような演出をおこなうことができる。
【０１０１】
別の保留表示ランプは、たとえば始動入賞にしたがって点灯した保留表示ランプの左隣の保留表示ランプとすることができる。この場合、液晶表示パネル２０１においては、所定の画像が、始動入賞にしたがって点灯した保留表示ランプに対応する位置から、左隣に移動したような画像が表示される。
【０１０２】
抽選処理部５０３による抽選が、保留表示ランプの点灯によって案内される保留球に対応する演出が、大当たり演出あるいはリーチ演出を含む演出である場合におこなわれる。このため、所定の画像は、保留表示ランプの点灯によって案内される保留球に対応する演出が、大当たり演出あるいはリーチ演出を含む演出である場合に表示される。これにより、保留表示ランプの点灯にあわせて所定の画像を表示することによって、遊技者に対して、複数回先の変動が大当たり状態であることを期待させることができる。
【０１０３】
上記の抽選処理部５０３は、所定の画像を表示している状態で始動入賞した保留球に対応する演出が、大当たり演出あるいはリーチ演出を含む演出をおこなう演出であることが先読み機能によって判明した場合、大当たりに当選していることが判明している場合に限って所定の抽選をおこなうようにしてもよい。この場合、所定の画像が２個以上表示された場合は、２個目以降の表示画像に対応する演出は大当たり演出となる。このような演出をおこなうことによって、遊技者に対して、複数回先の変動が大当たり状態であることを示唆し、楽しく遊技をおこなわせることができる。
【０１０４】
また、上記の抽選処理部５０３は、所定の画像を２個表示している状態では、所定の抽選をおこなわないようにしてもよい。この場合、たとえば大当たりが２回以上連続する、あるいは保留球をすべて消費するまでに２回以上大当たりに当選するような状況が生じた場合にも、遊技者はその状況を知ることはない。これによって、遊技者の射幸心を過剰に煽るような演出を回避することができる。
【０１０５】
（保留球の案内例）
つぎに、この発明にかかる実施の形態の保留球の案内例について説明する。図６−１、図６−２、図６−３および図６−４は、この発明にかかる実施の形態の保留球の案内例を示す説明図である。図６−１、図６−２、図６−３および図６−４においては、３個の保留球が保留されている状態で４個目の保留球となる始動入賞があった後、保留球を１個消費するまでの間における保留球の案内例を示している。
【０１０６】
図６−１、図６−２、図６−３および図６−４において、保留表示ランプ１２０ａ、１２０ｂ、１２０ｃの点灯によって、３個の保留球が保留されている状態（図６−１を参照）で、４個目の保留球となる始動入賞があった場合、当該始動入賞にともなって取得した大当たり判定用乱数およびリーチ乱数に基づいて、４個目の保留球に対応する演出が、大当たり演出あるいはリーチ演出を含む演出であるかどうかを判断する。
【０１０７】
判断の結果４個目の保留球に対応する演出が、大当たり演出あるいはリーチ演出を含む演出であることが判明した場合、上記所定の抽選をおこなう。所定の抽選の結果、所定の画像を表示することが決定した場合は、４個目の保留球を示す保留表示ランプ１２０ｄの点灯と同時に、当該保留表示ランプの真下に滴状のキャラクターの画像を表示する（図６−２における符号６２０を参照）。
【０１０８】
滴状のキャラクターの画像は、実行中の演出の視認性を低下させることなく、かつ、遊技者の視界に入るような大きさで表示することが好ましい。これにより、４個の保留表示ランプ１２０ａ〜１２０ｄが点灯した状態で、もっとも右側の保留表示ランプ１２０ｄの真下に滴状のキャラクターの画像が表示された状態となる。
【０１０９】
つぎに、１個目の保留球に対応する演出を開始すると、もっとも右側の保留表示ランプ１２０ｄを消灯し、もっとも右側の保留表示ランプ１２０ｄの真下に表示していた滴状のキャラクターが、保留表示ランプ１つ分だけ左に（左隣に）移動する画像を表示する（図６−３における符号６３０を参照）。これにより、左端から３個目までの保留表示ランプ１２０ａ〜１２０ｃが点灯し、左端から３個目の保留表示ランプ１２０ｃの真下に滴状のキャラクターの画像が表示された状態となる（図６−４における符号６４０を参照）。
【０１１０】
このように、保留球の消費にともなって表示画面中を移動する滴状のキャラクターを表示することで、遊技者が表示画面における変動演出に注目している場合にも、当該遊技者の関心を一時的に保留表示ランプ１２０ａ〜１２０ｄの近傍に振り向けることができる。これによって、表示画面における演出に悪影響をあたえることなく保留球の消費を案内することができる。
【０１１１】
（表示画面例）
つぎに、この発明にかかる実施の形態の遊技機における演出に際しての表示画面例について説明する。図７−１、図７−２および図７−３は、この発明にかかる実施の形態の遊技機における演出に際しての表示画面例を示す説明図である。図７−１、図７−２および図７−３においては、滴状のキャラクターとともに保留球を案内する保留表示ランプに対応する演出をおこなう際に、液晶表示パネル２０１に表示される表示画面例を示している。
【０１１２】
図７−１、図７−２および図７−３において、保留表示ランプに対応して表示した滴状のキャラクターが、もっとも左側の保留表示ランプに対応する位置まで移動し、当該保留表示ランプに対応する演出を開始する前の状態、すなわち１つ前の保留球に対応する演出の実行中となると、滴状のキャラクターが対応する保留表示ランプ１２０ａから徐々に落下しはじめる画像を表示し（図７−１における符号７１０を参照）、保留表示ランプ１２０ａから離間して落下する画像を表示する（図７−２おける符号７２０を参照）。
【０１１３】
滴状のキャラクターが落下した後は、落下した滴状のキャラクターが演出の展開を示唆するキャラクターやアイテムなどに変化したような画像を表示する（図７−３おける符号７３０を参照）。演出の展開を示唆するキャラクターやアイテムは、任意の画像によって示すことができ、具体的には、たとえば妖精や頭蓋骨、西洋式の甲冑における頭部防具（ヘルメット）など、演出のストーリーに関係する各種の画像とすることができる。
【０１１４】
演出の展開を示唆する画像は、実行中の演出の視認性を低下させることなく、かつ、遊技者の視界に入るような大きさで表示することが好ましい。あるいは、演出の展開を示唆する画像は、実行中の演出において確定した出目の視認性を妨げないように、出目が確定するよりも前に表示することが好ましい。
【０１１５】
滴状のキャラクターが落下した後に変化するキャラクターやアイテムなどの、演出の展開を示唆する画像については、遊技機における演出の構成上、その種類や出現する条件などを事前の遊技における演出中に報知しておくことができる。このような演出をおこなうことにより、出現したキャラクターやアイテムの種類によって、つぎにおこなう演出における大当たり当選への期待度を示唆することができる。これによって、遊技者に対して、つぎにおこなう演出における大当たり当選への期待をあたえ、どきどきわくわくするような興奮を高めさせて、遊技を楽しませることができる。
【０１１６】
（遊技機の処理手順）
つぎに、この発明にかかる実施の形態の遊技機の処理手順について説明する。図８は、この発明にかかる実施の形態の遊技機の処理手順を示すフローチャートである。図８に示す処理は、遊技機の電源が投入され、所定の起動処理などが終了し、通常の遊技をおこなうことができる状態において演出制御部（演出制御基板）３０２が実行する。
【０１１７】
図８に示すフローチャートにおいて、まず、主制御部３０１からの出力信号に基づいて、始動入賞があるまで待機する（ステップＳ８０１：Ｎｏ）。始動入賞があった場合（ステップＳ８０１：Ｙｅｓ）は、始動入賞があった時点において演出実行中であるか否かを判断する（ステップＳ８０２）。始動入賞があった時点において演出実行中である場合（ステップＳ８０２：Ｙｅｓ）は、ＲＡＭ３４３に記憶した保留球数（大当たり判定用乱数の数）が４個未満であるか否かを判断する（ステップＳ８０３）。保留球数（大当たり判定用乱数の数）が４個以上である場合（ステップＳ８０３：Ｎｏ）は、ステップＳ８０１へ戻る。
【０１１８】
ステップＳ８０３において、保留球数（大当たり判定用乱数の数）が４個未満である場合（ステップＳ８０３：Ｙｅｓ）は、ＲＡＭ３４３に記憶した保留球数（大当たり判定用乱数の数）に１を加算する（ステップＳ８０４）。ステップＳ８０４においては、大当たり判定用乱数を、ＲＡＭ３４３に直接してもよい。
【０１１９】
つぎに、ステップＳ８０１：Ｙｅｓにおいて判断された始動入賞に際して取得した大当たり判定用乱数およびリーチ乱数に基づいて、当該始動入賞に対応する演出において、大当たり演出あるいはリーチ演出が確定しているか否かを判断する（ステップＳ８０５）。大当たり演出あるいはリーチ演出が確定していない場合（ステップＳ８０５：Ｎｏ）は、ステップＳ８０９へ移行する。
【０１２０】
ステップＳ８０５において、ステップＳ８０１：Ｙｅｓにおいて判断された始動入賞に対応する演出において、大当たり演出あるいはリーチ演出が確定している場合（ステップＳ８０５：Ｙｅｓ）は、上記の所定の抽選処理をおこなう（ステップＳ８０６）。そして、ステップＳ８０６における抽選処理の結果にしたがって、保留案内画像を表示するか否かを判断する（ステップＳ８０７）。保留案内画像を表示しない場合（ステップＳ８０７：Ｎｏ）は、ステップＳ８０９へ移行する。
【０１２１】
ステップＳ８０７において、保留案内画像を表示する場合（ステップＳ８０７：Ｙｅｓ）は、液晶表示パネル２０１における所定の位置に保留案内画像を表示する（ステップＳ８０８）とともに、該当する保留表示ランプを点灯させるように保留表示ランプ群を駆動制御する（ステップＳ８０９）。
【０１２２】
つぎに、ステップＳ８０２：Ｙｅｓにおいて実行中と判断された演出が終了したか否かを判断し（ステップＳ８１０）、終了していない場合（ステップＳ８１０：Ｎｏ）はステップＳ８０１へ戻る。ステップＳ８０２：Ｙｅｓにおいて実行中と判断された演出が終了した場合（ステップＳ８１０：Ｙｅｓ）は、該当する保留表示ランプを消灯させるように保留表示ランプ群を駆動制御する（ステップＳ８１１）。
【０１２３】
そして、ＲＡＭ３４３に記憶した保留球数から１を減算して（ステップＳ８１２）、減算後の保留球数が１以上であるか否かを判断する（ステップＳ８１３）。減算後の保留球数が０となる場合（ステップＳ８１３：Ｎｏ）は、ステップＳ８０１へ戻り、上記のステップＳ８０１からの処理をおこなう。減算後の保留球数が１以上である場合（ステップＳ８１３：Ｙｅｓ）は、ステップＳ８０８において表示した保留案内画像を移動表示させる（ステップＳ８１４）。ステップＳ８１４においては、ステップＳ８０８において表示した保留案内画像が、保留表示ランプ１つ分左側に移動するように、表示部１０４を駆動制御する。その後、ステップＳ８０１へ戻る。
【０１２４】
始動入賞があった時点において演出実行中ではない場合（ステップＳ８０２：Ｎｏ）は、該当する演出をおこなって（ステップＳ８１５）、ステップＳ８０１へ戻る。ステップＳ８１５においては、ステップＳ８０１：Ｙｅｓにおいて判断された始動入賞に際して取得した大当たり判定用乱数およびリーチ乱数や、該当する演出の実行直前に取得した変動パターン乱数および図柄乱数などに基づいて、該当する演出を決定し、決定した演出をおこなう。
【０１２５】
以上説明したように、この実施の形態の遊技機は、所定の演出を表示する表示画面と、表示画面の近傍に設けられ、始動入賞口に入賞し保留球が発生するごとに所定の順序で点灯するとともに、保留球が消費されるごとに所定の順序とは逆の順序で消灯することによって、保留球数を示す保留表示ランプ群と、表示画面を制御して、当該表示画面上の点灯したまたは点灯している保留表示ランプに対応する位置に所定の画像を表示するとともに、保留球が消費されるごとに点灯している別の保留表示ランプに対応する位置へ所定の画像を移動するように表示する表示制御手段と、を備えたことを特徴としている。
【０１２６】
このような演出方法による演出をおこなう遊技機によれば、保留球の発生にともなって点灯したまたは既に点灯している保留表示ランプに対応する位置に所定の画像を表示した場合は、以降、保留球を消費するごとに、当該所定の画像が、点灯している別の保留表示ランプに対応する位置へ移動するような表示をおこなうことができる。このように、保留球を消費するごとに、表示画面におけるランプ近傍の表示内容を変化させることによって、表示画面における変動演出に注目している遊技者の関心を、一時的にランプの近傍に振り向けることができる。これによって、遊技者の関心が表示画面における変動演出に注目している状況であっても、保留球を消費するごとに当該遊技者の関心を一時的にランプの近傍に振り向けることができるので、表示画面における演出に悪影響をあたえることなく保留球の消費を案内することができる。
【０１２７】
また、このような演出方法による演出をおこなう遊技機によれば、保留球を消費するごとに変化する所定の画像を、保留球を案内する保留表示ランプに対応づけて表示することにより、表示最大保留球数分の変動をおこなうまでの間に、遊技状態に変化が生じることを示唆する演出をおこなうことができる。これによって、短期間で遊技者の期待感や高揚感を高めることができるので、遊技者を飽きさせることなく遊技を楽しませることができる。
【０１２８】
また、この実施の形態の遊技機は、保留表示ランプ群が、一列に配置され、保留球が発生するごとに所定の端の保留表示ランプから順次点灯し、保留球が消費されるごとに所定の端とは反対側の点灯している保留表示ランプから順次消灯し、表示制御手段が、点灯した保留表示ランプまたは点灯しているいずれかの保留表示ランプに対応する位置に所定の画像を表示するとともに、保留球が消費されるごとに、所定の端側の隣の保留表示ランプに対応する位置へ所定の画像を移動するように表示することを特徴としている。
【０１２９】
このような演出方法による演出をおこなう遊技機によれば、保留球が消費されるごとに、元の表示位置から所定の端側へ向かって、すなわち、所定の順序とは逆の順序で、所定の画像が表示画面中を移動するような表示をおこなうことができる。
【０１３０】
また、このような演出方法による演出をおこなう遊技機によれば、いずれの保留表示ランプに対応する位置に所定の画像を表示した場合にも、保留球が消費されるごとに、元の表示位置から所定の端側へ向かって、すなわち、所定の順序とは逆の順序で、所定の画像が表示画面中を移動するような表示をおこなうことができる。
【０１３１】
このように、保留球が消費されるごとに、保留球が消費されるごとに保留表示ランプ群１２０が示す挙動と同じ方向に所定の画像が移動するような表示をおこなうことにより、遊技者に対して、保留球の消費を分かりやすく案内し、保留球の消費を容易に把握させることができる。
【０１３２】
また、この実施の形態の遊技機は、始動入賞口１０５に入賞するごとに、所定の抽選をおこない、この所定の抽選結果に基づいて所定の画像を表示することを特徴としている。抽選によって所定の画像を表示することにより、所定の画像の表示をランダムにおこなうことができる。これによって、演出内容のバリエーションを増やし、変化に富んだ演出をおこなうことができるので、演出の展開が読まれてしまうことによって遊技者を退屈させてしまうことなく、当該遊技者に長時間にわたって遊技を楽しませることができる。
【０１３３】
また、この実施の形態の遊技機は、始動入賞口１０５に入賞するたびに、主制御基板３０１から出力される情報を受信し、受信された情報に基づいて所定の画像を表示することを特徴としている。このような演出方法による演出をおこなう遊技機によれば、主制御基板３０１から出力される情報に基づいて所定の画像を表示することにより、演出の展開に合致した所定の画像を表示することができ、所定の画像の表示によって示唆される演出の展開についての信頼性を高めることができる。これによって、遊技者に対して、所定の画像の表示後の大当たりへの期待感をあたえ、遊技者を退屈させてしまうことなく、当該遊技者に長時間にわたって遊技を楽しませることができる。
【０１３４】
このような演出方法による演出をおこなう遊技機によれば、保留球を消費するごとに遊技者に対して保留球を消費したことを案内することができるので、たとえば「疑似連」と称される演出手法による演出に際して、疑似連演出であることを遊技者に伝えることができる。これによって、遊技者に対して、疑似連における疑似連続予告による連続回数を把握しやすくさせ、大当たり当選への期待度を高めたり、同時に連続回数が多いほど大当たりした場合の確変昇格期待度を高めたりすることができる。
【図面の簡単な説明】
【０１３５】
【図１】この発明にかかる実施の形態の遊技機の基本構成を示す説明図（その１）である。
【図２】この発明にかかる実施の形態の遊技機の基本構成を示す説明図（その２）である。
【図３】この発明にかかる実施の形態の遊技機の制御部の内部構成を示すブロック図である。
【図４】この発明にかかる実施の形態の遊技機の遊技状態を示す説明図である。
【図５】この発明にかかる実施の形態の遊技機の機能的構成を示すブロック図である。
【図６−１】この発明にかかる実施の形態の保留球の案内例を示す説明図（その１）である。
【図６−２】この発明にかかる実施の形態の保留球の案内例を示す説明図（その２）である。
【図６−３】この発明にかかる実施の形態の保留球の案内例を示す説明図（その３）である。
【図６−４】この発明にかかる実施の形態の保留球の案内例を示す説明図（その４）である。
【図７−１】この発明にかかる実施の形態の遊技機における演出に際しての表示画面例を示す説明図（その１）である。
【図７−２】この発明にかかる実施の形態の遊技機における演出に際しての表示画面例を示す説明図（その２）である。
【図７−３】この発明にかかる実施の形態の遊技機における演出に際しての表示画面例を示す説明図（その３）である。
【図８】この発明にかかる実施の形態の遊技機の処理手順を示すフローチャートである。
【符号の説明】
【０１３６】
１０４  表示部
２０１  液晶表示パネル（画像表示画面）
３０１  主制御部（主制御基板）
３０２  演出制御部（演出制御手段）
５０１  受信部
５０２  検出部
５０３  抽選処理部（抽選処理手段）
５０４  連動制御部
５０５  点灯制御部
５０６  表示制御部
【図１】
2010142510.tif 000003
【図２】
2010142510.tif 000004
【図３】
2010142510.tif 000005
【図４】
2010142510.tif 000006
【図５】
2010142510.tif 000007
【図６−１】
2010142510.tif 000008
【図６−２】
2010142510.tif 000009
【図６−３】
2010142510.tif 000010
【図６−４】
2010142510.tif 000011
【図７−１】
2010142510.tif 000012
【図７−２】
2010142510.tif 000013
【図７−３】
2010142510.tif 000014
【図８】
2010142510.tif 000015